(57)【要約】【課題】フレームケースと接続プラグとをケーブルで接続する必要を無くし、信頼性を高めたカード型記憶媒体を提供する。【解決手段】コネクタ部３は、情報処理装置に接続する端子部３ａが先端部に形成されている。コネクタ部３は、内部にメモリ３ｂが配置されている。コネクタ部３の後端部はフレームケース２により回動自在に挟持されている。情報処理装置に接続されると、コネクタ部３の内部に配置されているメモリ３ｂに記憶している情報の読取や、このメモリ３ｂに対する情報の書き込みが行われる。【選択図】図１
2009187164.tif 000002
【特許請求の範囲】
【請求項１】
情報処理装置に接続されることによって、メモリに記憶している情報の読み出しや、該メモリに対する情報の書き込みが行われるカード型記憶媒体であって、
情報処理装置に接続する端子部を先端部に形成したコネクタ部と、
前記コネクタ部の後端部を回動自在に挟持するフレームケースと、を備え、
前記メモリは、前記コネクタ部に取り付けている、カード型記憶媒体。
【請求項２】
前記フレームケースは、前記コネクタ部を収納する収納空間を形成した形状であり、
前記コネクタ部は、前記収納空間に収納されている状態と、前記収納空間に収納されていない状態との間で回動する、請求項１に記載のカード型記憶媒体。
【請求項３】
前記フレームケースは、前記収納空間に対応する位置に、切欠部を形成している請求項２に記載のカード型記憶媒体。
【請求項４】
前記フレームケースは、前記切欠部が円形形状である、請求項３に記載のカード型記憶媒体。
【請求項５】
前記フレームケースは、前記切欠部が矩形形状である、請求項３に記載のカード型記憶媒体。
【請求項６】
前記フレームケースは、その外形形状が矩形形状であり、前記収納空間が形成されているフレームケース角部で前記コネクタ部の後端部を回動自在に挟持する、請求項２〜５のいずれかに記載のカード型記憶媒体。
【請求項７】
前記フレームケースは、その外形形状が矩形形状であり、前記収納空間が形成されている辺の中央部で、前記コネクタ部の後端部を回動自在に挟持するとともに、このコネクタ部が回動する軸が前記収納空間が形成されている辺に沿ってスライドする、請求項２〜５のいずれかに記載のカード型記憶媒体。
【請求項８】
前記コネクタ部を収納する収納空間を内部に形成したトップケースを備えた請求項１に記載のカード型記憶媒体。
【発明の詳細な説明】
【技術分野】
【０００１】
本発明は、情報処理装置に接続され、接続された情報処理装置によって、メモリに記憶している情報の読み出しや、このメモリに対する情報の書き込みが行われるカード型記憶媒体に関する。
【背景技術】
【０００２】
従来、情報処理装置に接続するためのＵＳＢ接続端子等を設けた接続プラグを有した電子機器がある。こうした電子機器では、情報処理装置に接続し、この情報処理装置により、電子機器内部に有しているメモリに記憶している情報の読み出しや、このメモリに対する情報の書き込みが行われる。こうした電子機器では、例えば、特許文献１及び２に記載されているものがある。
【０００３】
特許文献１及び２に記載された電子機器は、カードの一部にＵＳＢコネクタを取り付けてある。特許文献１では、フレームケースの辺の中央部にＵＳＢコネクタを回動自在に取り付けている。特許文献２では、フレームケースの辺の角部にＵＳＢコネクタを回動自在に取り付けている。これらの構造では、ＵＳＢコネクタは、９０度の角度の状態で使用する。
【０００４】
しかしながら、回動する範囲が制限されているため、情報処理装置に設けられているＵＳＢポートの方向及びＵＳＢコネクタの方向によっては、接続できない場合がある。
【０００５】
一方、特許文献３に記載された発明では、辺の角部に回動自在に接続プラグが取り付けられているため、情報処理装置に設けられているＵＳＢポートの方向及びＵＳＢコネクタの方向を問わずに、接続することができる。
【０００６】
特許文献３に記載された電子機器は、情報処理装置に接続するための接続プラグと内部にカード型電子機器部品を収納するための収納空間を有したフレームとを備えている。接続プラグは、フレームに回動自在に取り付けている。接続プラグは、ケーブルにより収納空間内部に設けているコネクタに接続されている。このコネクタは、収納空間に収納しているカード型電子機器部品に基板を介して接続されている。情報処理装置に接続プラグを接続することで、この情報処理装置により、カード型電子機器部品内のメモリに記憶している情報の読み出しや、このメモリに対する情報の書き込みが行われる。
【特許文献１】実用新案登録第３１２９６２２号公報
【特許文献２】実用新案登録第３０８９７１７号公報
【特許文献３】特開２００５−２１７１９０号公報
【発明の開示】
【発明が解決しようとする課題】
【０００７】
しかしながら、特許文献３の電子機器の構造では、接続プラグと、カード型電子機器部品に接続しているコネクタと、がケーブルで接続されているため、接続プラグを回動させることにより、ケーブルに負荷がかかりケーブルが断線してしまう虞があった。そのため、信頼性が低かった。
【０００８】
本発明の目的は、上記課題に鑑み、フレームケース内部とコネクタ部とをケーブルで接続する必要を無くし、信頼性を高めたカード型記憶媒体を提供することにある。
【課題を解決するための手段】
【０００９】
本発明のカード型記憶媒体は、情報処理装置に接続する端子部を先端部に形成したコネクタ部と、このコネクタ部の後端部を回動自在に挟持するフレームケースと、を備えている。コネクタ部にメモリが取り付けられており、情報処理装置に接続されることによって、メモリに記憶している情報の読み出しや、このメモリに対する情報の書き込みが行われる。
【００１０】
こうすることにより、メモリを有しているコネクタ部が回動するため、フレームケースの内部とコネクタ部とをケーブルで接続する必要が無くなるため、信頼性が高まる。また、フレームケースには電子回路を設ける必要がないため、フレームケースを薄くできる。
【発明の効果】
【００１１】
信頼性が高まる。また、フレームケースには電子回路を設ける必要がないため、フレームケースを薄くできる。
【発明を実施するための最良の形態】
【００１２】
以下、本発明を詳細に説明していく。
【００１３】
《第１の実施形態》
図１〜図６は第１の実施形態に係るカード型記憶媒体（以下、単にカードと称す）を示す図である。
【００１４】
図１は、カード１の外観斜視図である。図２は、フレームケース２の分解上面図、正面図、及び側面図である。図３は、コネクタ部３の外観斜視図及び分解上面図である。図４はカード１を情報処理装置８ａに接続した状態を示す図である。図５はカード１を情報処理装置８ｂ，８ｃに接続した状態を示す図である。
【００１５】
図１に示す通り、カード１は、フレームケース２、コネクタ部３、で構成されている。
【００１６】
フレームケース２は、その外形形状が矩形形状であり、コネクタ部３を収納するコの字形状の収納空間４がその外周部に形成されている。円形形状の切欠部５が収納空間４に対応する位置に形成されている。円形形状の軸受け部６は収納空間４が形成されている辺の角部に形成されている。円形形状のストラップホール７は収納空間４が形成されていない辺の角部に形成されている。フレームケース２は、コネクタ部３の後端部を回動自在に挟持している。
【００１７】
フレームケース２の構成の詳細な説明は後述する。
【００１８】
コネクタ部３は、略矩形形状であり、その後端部は角部が丸みを帯びている。コネクタ部３は先端部に端子部３ａが形成されており、内部に不揮発性のメモリ３ｂ（例えば、ＥＥＰＲＯＭ、フラッシュメモリ）を配置している。メモリ３ｂと端子部３ａは基板により接続されている。このメモリ３ｂに情報が記憶されている。
【００１９】
コネクタ部３の構成の詳細な説明は後述する。
【００２０】
カード１は、例えば、学生証、社員証、会員証等の身分証として使用される。使用者は、このカード１をパーソナルコンピュータ等の情報処理装置に接続することで、コネクタ部３内に配置されているメモリ３ｂに記憶されている情報の読み出しを情報処理装置により行うことができる。カード１が学生証として使用される場合、例えば、氏名、学生番号、所属等を示す本人情報が記載されているシールがフレームケース２の表面に貼着されている。また、学生の学習履歴や成績等を示す学習状況情報がメモリ３ｂに記憶されている。使用者は、このカード１を情報処理装置に接続することで、メモリ３ｂに記憶している情報の読み出しを接続されている情報処理装置により行うことができる。
【００２１】
なお、学生証以外の身分証として使用する場合、フレームケース２の表面にその身分証に対応した内容がシールとして貼着されていれば良い。さらに、フレームケースの表面には、シール貼着を示唆し、かつシール貼着後のシール剥れを防止する凹部を形成してもよい。この場合、メモリ３ｂに記憶されている情報は、身分証に応じて変更される。
【００２２】
また、フレームケース２の表面にシールを貼着するのではなく、例えば、シルク印刷、インクジェット印刷、レーザー印刷などの手法で、フレームケース２の表面に本人情報を直接記載しても良い。
【００２３】
次に、フレームケース２について図２に基づいて説明していく。図２（Ａ）は上フレーム２ａの上面図である。図２（Ｂ）は下フレーム２ｂの上面図である。図２（Ｃ）はフレームケース２の正面図である。図２（Ｄ）はフレームケース２の側面図である。
【００２４】
フレームケース２は、その外形形状が矩形形状であり所定の厚さを有したプラスチック製の上フレーム２ａと、その外形形状が矩形形状であり所定の厚さを有したプラスチック製の下フレーム２ｂと、で構成されている。上フレーム２ａと下フレーム２ｂとは同じ形状である。フレームケース２は、上フレーム２ａと下フレーム２ｂとが貼り合わされることで形成される。
【００２５】
上フレーム２ａは、コネクタ部３を収納するコの字形状の収納部４ａが形成されている。また、収納部４ａが形成されている辺の一部を円形形状に切欠いた切欠き５ａが形成されている。また、収納部４ａが形成されている辺の角部に円形形状の開口部６ａが形成されている。また、収納部４ａが形成されていない辺の角部に円形形状の開口部７ａが形成されている。
【００２６】
下フレーム２ｂは、上フレーム２ａと貼り合わせられた状態で、収納部４ｂが収納部４ａに対向する位置に上フレーム２ａと同じ形状で形成されている。また、切欠き５ｂが切欠き５ａに対向する位置に上フレーム２ａと同じ形状で形成されている。また、開口部６ｂが開口部６ａに対向する位置に上フレーム２ａと同じ形状で形成されている。また、開口部７ｂが開口部７ａに対向する位置に上フレーム２ａと同じ形状で形成されている。
【００２７】
上フレーム２ａと下フレーム２ｂとを貼り合わせて形成されるフレームケース２は、コの字形状の収納空間４が収納部４ａ，４ｂにより形成される。また、円形形状の切欠部５が切欠き５ａ，５ｂにより形成される。また、円形形状の軸受け部６が開口部６ａ，６ｂにより形成される。また、円形形状のストラップホール７が開口部７ａ，７ｂにより形成される。
【００２８】
こうすることにより、カード１を使用しない場合、収納空間４にコネクタ部３を収納することができ、コネクタ部３を保護することができる。また、使用する場合、切欠部５が形成されていることにより、収納空間４からコネクタ部３を取り出しやすくなる。また、ストラップホール７が形成されていることにより、ストラップホール７に紐等を通すことができるため、カード１を携帯しやすくなる。
【００２９】
なお、フレームケース２の外形形状は矩形形状以外の形状であっても良い。また、フレームケース２に形成されている切欠部５は円形形状以外の形状、例えば、矩形形状や波形形状であっても良い。また、本実施形態では、上フレーム２ａ、下フレーム２ｂに其々切欠５ａ，５ｂを設けているが、上フレーム２ａ、あるいは下フレーム２ｂの何れか一方のみに切欠を設けても良い。
【００３０】
また、ストラップホール７は、収納空間４が形成されている場所以外に形成されていれば良い。また、その形状は円形形状以外の形状であっても良く、紐等が通る形状であれば良い。
【００３１】
次に、コネクタ部３について図３に基づいて説明していく。図３（Ａ）はコネクタ部３の外観斜視図である。図３（Ｂ）はコネクタ部３の上板３ｃの分解上面図である。図３（Ｃ）はコネクタ部３の下板３ｄの分解上面図である。
【００３２】
コネクタ部３は、略矩形形状であり、その後端部が円形形状である。また、コネクタ部３は、上板３ｃと下板３ｄとを貼り合わせた構造である。
【００３３】
矩形形状の上板３ｃは情報処理装置と接続する端子部（例えば、ＵＳＢ接続端子部）３ａがその先端部に形成されている。また、開口部６ｃが上板３ｃの後端部に形成されている。
【００３４】
下板３ｄは、略矩形形状でその後端部の角部が丸みを帯びた形状であり、メモリ３ｂが配置されている。このメモリ３ｂと端子部３ａとが下板３ｄに形成されている図示していない基板により接続されている。このメモリ３ｂが情報を記憶している。コネクタ部３が情報処理装置に接続されることによって、情報処理装置によりこのメモリ３ｂに記憶している情報の読み出しが行われる。
【００３５】
コネクタ部３の後端部は、フレームケース２の収納空間４が形成されている辺の角部で挟持されている。また、コネクタ部３は、図示していない軸により開口部６ｃで軸支される。また、コネクタ部３がフレームケース２に挟持されている状態で、開口部６ｃは、上フレーム２ａに形成されている開口部６ａに対向する位置にある。
【００３６】
こうすることにより、内部にメモリ３ｂが配置されているコネクタ部３が回動することで、コネクタ部３とフレームケース２内部とを接続するためのケーブルが不要になるため、信頼性が高まる。また、フレームケース２には電子回路を設ける必要がないため、フレームケース２を薄くできる。また、後端部の角部が丸みを帯びていることにより、コネクタ部３が回動しやすくなる。また、フレーム２とコネクタ部３との透間を最小限にすることができ、ケース内への埃や塵の進入を防ぐことができ、故障しにくくなる。また、フレームケース２とコネクタ部３との透間を最小限にすることができ、カード１の剛性が向上する。
【００３７】
なお、端子部３ａとメモリ３ｂとをケーブル等で接続していても良い。この場合でも、端子部３ａとメモリ３ｂとが同じ方向に回動することになり、ケーブルに負荷はかからないため、ケーブルが断線する虞がなくなり、信頼性は高まる。
【００３８】
次に、コネクタ部３の動作について説明する。
【００３９】
フレームケース２は、収納空間４が形成されている辺の角部でコネクタ部３の後端部を回動自在に挟持する。コネクタ部３は、軸受け部６に配置されている図示していない軸を回動中心とし、収納空間４に収納されている状態と収納空間４に収納されていない状態との間を回動する。コネクタ部３が回動する範囲は図１に矢示した範囲である。コネクタ部３は、収納されている状態を０度とすると、その回動範囲は、０度〜１８０度の間の角度を回動する。
【００４０】
使用者は、カード１を使用する場合、収納空間４からコネクタ部３を回動させ、コネクタ部３をフレームケース２から露出させて使用する。また、使用しない場合、収納空間４へコネクタ部３を回動させて収納する。
【００４１】
コネクタ部３が収納空間４に収納されている状態で、コネクタ部３の先端部は、収納空間４に係止される。また、コネクタ部３が１８０度である状態で、コネクタ部３の後端部は収納空間４により係止される。
【００４２】
こうすることにより、情報処理装置に接続する場合、情報処理装置に設けられている接続ポートの方向や、この接続ポートに設けられている接続端子の方向に関わらずにカード１を接続することができる。
【００４３】
以下、具体的に情報処理装置に設けられている接続ポートの方向、及びこの接続ポートに設けられている接続端子の方向に応じてカード１を接続した状態について説明する。
【００４４】
図４（Ａ）〜図４（Ｄ）は、情報処理装置８ａ、及び情報処理装置８ａにカード１を接続した状態を示す図である。情報処理装置８ａは、接続ポート９ａの方向が横であり、この接続ポート９ａに設けられている接続端子が上に形成されている。使用者は、コネクタ部３を収納空間４から露出させ、コネクタ部３を９０度にする（図４（Ｂ）参照）。端子部３ａを上に向けて、カード１を情報処理装置８ａに接続する（図４（Ｃ）参照）。新たに別の周辺機器を情報処理装置８ａに接続する時には、カード１を接続したまま、フレームケース２をコネクタ部３が１８０度になるように回動させる（図４（Ｄ）参照）。
【００４５】
こうすることにより、新たに周辺機器を情報処理装置に接続する際にフレームケース２が邪魔にならずに、周辺機器を情報処理装置８ａに接続することが容易になる。
【００４６】
なお、情報処理装置に設けられている接続ポートの方向が横であり、この接続ポートに設けられている接続端子が下に形成されている場合は、コネクタ部３の端子部３ａを下に向けて、カード１を情報処理装置に接続すれば良い。
【００４７】
図５（Ａ）は、情報処理装置８ｂにカード１を接続した状態を示す図である。情報処理装置８ｂは、接続ポート９ｂの方向が縦であり、接続ポート９ｂに設けられている接続端子が右に形成されている。使用者は、コネクタ部３を収納空間４から露出させ、コネクタ部３を９０度にする。端子部３ａを右に向けて、カード１を情報処理装置８ｂに接続する。
【００４８】
図５（Ｂ）は、情報処理装置８ｃにカード１を接続した状態を示す図である。情報処理装置８ｃは、接続ポート９ｃの方向が縦であり、接続ポート９ｃに設けられている接続端子の方向が左である。使用者は、コネクタ部３を収納空間４から露出させ、コネクタ部３を１８０度にする。端子部３ａを左に向けて、カード１を情報処理装置８ｂに接続する。
【００４９】
こうすることにより、フレームケース２が情報処理装置８ｃを設置している台に当ってしまうことにより、接続できなくなる虞がなくなり、カード１を情報処理装置８ｃに接続することが容易になる。
【００５０】
《第２の実施形態》
図６、図７は、第２の実施形態に係るカードを示す図である。
【００５１】
図６は、カード１１の外観斜視図である。図７は、トップケース１０の分解上面図及び正面図である。なお、第１の実施形態と同様な構成についての詳細な説明は省略する。
【００５２】
図６に示す通り、カード１１は、フレームケース１２、コネクタ部１３、トップケース１０、で構成されている。
【００５３】
コネクタ部１３の構成は第１の実施形態と同様であり、先端部に端子部１３ａが形成され、内部にメモリ１３ｂが配置されている。
【００５４】
フレームケース１２は、コネクタ部１３の後端部を辺の角部で挟持している。トップケース１０は、コネクタ部１３の後端部を挟持している辺と嵌合する。
【００５５】
フレームケース１２は第１の実施形態と略同様であるが、第２の実施形態では、ストラップホールを有していない点、外周部に切欠部が形成されていない点、外周部に収納空間が形成されていない点、コネクタ部１３を挟持している部位に円形形状の突起部１５がフレームケース１２に形成されている点、コネクタ部１３を挟持している辺とトップケース１０の辺とが嵌合する点、が異なっている。
【００５６】
図７（Ａ）及び図７（Ｂ）はトップケース１０の分解上面図である。図７（Ｃ）はトップケース１０の側面図である。
【００５７】
トップケース１０はその外形形状が矩形形状であり、内部にコネクタ部１３を収納するコの字形状をした収納空間１４が形成されている。また、トップケース１０はフレームケース１２に嵌合する辺に、図示していない凹部が形成されている。また、フレームケース１２のトップケース１０と嵌合する辺は、図示していない凸部が形成されている。トップケース１０をフレームケース１２に取り付けると、トップケース１０に形成されている凹部とフレームケース１２に形成されている凸部とが嵌合することで、トップケース１０とフレームケース１２とが嵌合する。
【００５８】
次に、コネクタ部１３の回動範囲について説明する。
【００５９】
第２の実施形態は、コネクタ部１３の回動範囲が第１の実施形態とは異なっている。コネクタ部１３が回動する範囲は図６に矢示した範囲である。第２の実施形態では、コネクタ部１３は、トップケース１０の収納空間１４に収納される状態を０度とすると、フレームケース１２のトップケース１０と嵌合する辺に対して外側方向に０度〜９０度の間の角度を回動する。
【００６０】
使用者は、カード１１を使用する場合、トップケース１０を取り外し、収納空間１４からコネクタ部１３を露出させて使用する。また、使用しない場合、トップケース１０を取り付け、収納空間１４へコネクタ部１３を収納する。
【００６１】
こうすることにより、第１の実施形態と同様に内部にメモリ１３ｂが配置されているコネクタ部１３が回動するため、フレームケース１２内部とコネクタ部１３とをケーブルで接続する必要が無くなるので、信頼性が向上する。また、フレームケース１２には電子回路を設ける必要がないため、フレームケース１２を薄くできる。また、報処理装置に設けられている接続ポートの方向や、この接続ポートに設けられている接続端子の方向に関わらずにカード１１を接続することができる。また、使用しない場合、トップケース１０によりコネクタ部１３を保護することができる。
【００６２】
なお、第２の実施形態でストラップホールがフレームケース１２に設けられていても良い。その形状は円形形状であっても良いし、矩形形状等別の形状であっても良く、その形状は紐等が通せる形状であれば良い。また、トップケース１０の外形形状は、矩形形状以外の形状であっても良い。
【００６３】
また、フレームケース１２に凸部を形成するのではなく、突起部１５に凸部を形成し、この凸部とトップケース１０に形成されている凹部とが嵌合する構造であっても良い。また、フレームケース１２とトップケース１０とが嵌合する構造は別の構造であっても良い。
【００６４】
《第３の実施形態》
図８、図９は第３の実施形態に係るカードを示す図である。
【００６５】
図８は、カード２１の外観斜視図である。図９は、フレームケース２２の分解上面図、正面図、及び側面図である。第１の実施形態及び第２の実施形態と同様な構成についての詳細な説明は省略する。
【００６６】
図８に示す通り、カード２１は、フレームケース２２、コネクタ部２３、トップケース２０、構成されている。
【００６７】
トップケース２０は、第２の実施形態と同様の構造であり、内部に収納空間２４が形成され、フレームケース２２と嵌合する。また、コネクタ部２３は、第１の実施形態及び第２の実施形態とその構成は略同様であり、先端に端子部２３ａがあり、内部にメモリ２３ｂが配置されている。相違点は、コネクタ部２３の先端部から後端部までの長さが第３の実施形態では第１の実施形態及び第２の実施形態よりも長くなっている。また、フレームケース２２は、第２の実施形態と略同様であるが、第３の実施形態ではコネクタ部２３が回動するための収納空間２５が外周部に形成されている点、突起部が形成されていない点、軸受け部２６が形成されている位置が辺の中央部である点、が第２の実施形態とは異なっている。
【００６８】
図９（Ａ）は上フレーム２２ａの上面図である。図９（Ｂ）は下フレーム２２ｂの上面図である。図９（Ｃ）はフレームケース２２の正面図である。図９（Ｄ）はフレームケース２２の側面図である。
【００６９】
上フレーム２２ａは、その外形形状が矩形形状であり外周部にコネクタ部２３が収納されるコの字形状の収納部２５ａが形成されている。収納部２５ａが形成されている辺の中央部に円形形状の開口部２６ａが形成されている。また、下フレーム２２ｂはその外形形状が矩形形状であり、上フレーム２２ａと貼り合わされた状態で、収納部２５ａに対向する位置に収納部２５ｂが上フレーム２２ａと同じ形状で形成されている。また、開口部２６ａに対向する位置に開口部２６ｂが上フレーム２２ａと同じ形状で形成されている。
【００７０】
上フレーム２２ａと下フレーム２２ｂとを貼り合わせて形成されるフレームケース２２は、収納部２５ａ，２５ｂによりコの字形状の収納空間２５、開口部２６ａ，２６ｂにより円形形状の軸受け部２６、がそれぞれ形成される。
【００７１】
次にコネクタ部２３の動作について説明する。
【００７２】
フレームケース２２は、収納空間２５が形成されている辺の中央部でコネクタ部２３の後端部を回動自在に挟持する。コネクタ部２３が回動する範囲は図９に矢示した範囲である。コネクタ部２３は、軸受け部２６に配置されている軸２７を回動中心とし、収納空間２５が形成されている辺の一方の端部と他方の端部との間の０〜１８０度の間の角度を回動する。
【００７３】
使用者は、カード２１を使用する場合、トップケース２０をフレームケース２２から取り外し、コネクタ部２３を露出させて使用する。また、使用しない場合、トップケース２０をフレームケース２２に取り付け、コネクタ部２３をトップケース２０内部に形成されている収納空間２４に収納する。
【００７４】
こうすることにより、第１の実施形態と同様に内部にメモリ２３ｂが配置されているコネクタ部２３が回動するため、フレームケース２２とコネクタ部２３とをケーブルで接続する必要が無くなるので、信頼性が向上する。また、フレームケース２２には電子回路を設ける必要がないため、フレームケース２２を薄くできる。また、情報処理装置に設けられている接続ポートの方向や、この接続ポートに設けられている接続端子の方向に関わらずにカード２１を接続することができる。また、使用しない場合、トップケース２０によりコネクタ部２３を保護することができる。
【００７５】
なお、第３の実施形態では、フレームケース２２とトップケース２０と嵌合する辺は一方の辺だけであるが、他方の辺でもフレームケース２２とトップケース２０とが嵌合しても良い。また、第３の実施形態でストラップホールがフレームケース２２に設けられていても良い。その形状は円形形状であっても良いし、矩形形状等別の形状であっても良く、その形状は紐等が通せる形状であれば良い。
【００７６】
《第４の実施形態》
図１０、図１１は第４の実施形態に係るカードを示す図である。
【００７７】
図１０は、カード３１の外観斜視図である。図１１は、フレームケース３２の分解上面図、コネクタ部３３の上面図、主要部分の断面図である。なお、図１１において、その断面表記を省略している。また、第１の実施形態〜第３の実施形態と同様な構成についての詳細な説明は省略する。
【００７８】
図１０に示す通り、カード３１は、フレームケース３２、コネクタ部３３、スライド部材３０により構成されている。コネクタ部３３の構成は、第３の実施形態と同様であり、先端に端子部３３ａが形成され、内部にメモリ３３ｂが配置されている。
【００７９】
図１１（Ａ）は上フレーム３２ａの上面図である。図１１（Ｂ）は下フレーム３２ｂの上面図である。図１１（Ｃ）は、コネクタ部３３の上面図である。図１１（Ｄ）はフレームケース３２の部分断面図である。
【００８０】
上フレーム３２ａは、第３の実施形態と同様にコネクタ部３３を収納するコの字形状の収納部３４ａが外周部に形成されている。角部が丸みを帯びた矩形形状のスライド窓３６は収納部３４ａが形成されている辺の中央部に形成されている。下フレーム３２ｂは、上フレーム３２ａと貼り合わされた状態で、収納部３４ｂが上フレーム３２ａと同じ形状で収納部３４ａに対向する位置に形成されている。
【００８１】
上フレーム３２ａと下フレーム３２ｂとを貼り合わせて形成されるフレームケース３２は、第３の実施形態と同様に収納部３４ａ，３４ｂによりコの字形状の収納空間３４が形成される。
【００８２】
スライド部材３０がコネクタ部３３の後端部に形成されている。スライド部材３０は、所定の長さを有した円柱形状のスライド軸３０ａと、コネクタ部３３の後端部に取り付けられている矩形形状の軸受台３０ｂと、により構成されている。スライド軸３０ａの直径は、スライド窓３６の短辺方向の長さと略等しく、その長さは、上フレーム３２ａの厚さ方向の長さよりも若干長い。また、スライド軸３０ａは、スライド窓３６の外周部に当接している。また、スライド軸３０ａは軸受台３０ｂに取り付けられている。軸受台３０ｂは、コネクタ部３３と上フレーム３２ａとの間に配置され、上フレーム３２ａに当接している。
【００８３】
スライド窓３６の短辺は、上フレーム３２ａの内側に図示していない凸部が形成され、この凸部が軸受台３０ｂに形成されている図示してない凹部に入り込むことによりコネクタ部３３を係止する。
【００８４】
こうすることにより、コネクタ部３３は、スライド部材３０により、スライド窓３６内を長辺方向にスライドすることができる。また、スライド窓３６の短辺で軸受台３０ｂが係止されるため、カード３１を情報処理装置に接続しやすくなる。
【００８５】
次にコネクタ部３３の動作について説明する。
【００８６】
コネクタ部３３３が回動する範囲は図１０に矢示した範囲である。
【００８７】
コネクタ部３３は、スライドされ、コネクタ部３３の先端部が収納空間３４に収納されていない状態になると、スライド軸３０ａを回動中心としてこの辺の一方の端部と他方の端部との間の０〜１８０度の間の角度を回動する。このとき、スライド軸３６ａは、回動角度に合わせてスライド窓３６の一方の端部と他方の端部との間を移動する。
【００８８】
使用者は、カード３１を使用する場合、スライド部材３０によりコネクタ部３３をスライドさせ、コネクタ部３３の先端部を収納空間３４が形成されている辺の一方の端部から露出させる。接続する情報処理装置に対応した向きにコネクタ部３３を回動させる。カード３１を使用しない場合、スライド部材３０によりコネクタ部３３をスライドさせ、コネクタ部３３を収納空間３４内に収納する。収納する場合、コネクタ部３３は、０度の状態１８０度の状態の何れであっても良い。
【００８９】
こうすることにより、第１の実施形態と同様に内部にメモリ３３ｂが配置されているコネクタ部３３が回動するため、フレームケース３２の内部とコネクタ部３３とをケーブルで接続する必要が無くなるので、信頼性が向上する。また、フレームケース３２には電子回路を設ける必要がないため、フレームケース３２を薄くできる。また、情報処理装置に設けられている接続ポートの方向や、この接続ポートに設けられている接続端子の方向に関わらずにカード３１を接続することができる。また、使用しない場合、コネクタ部３３を収納空間３４内にスライドさせることによりコネクタ部３３を保護することができる。
【００９０】
なお、第４の実施形態は別の構造でコネクタ部３３をスライドさせても良い。また、第４の実施形態でストラップホールがフレームケース３２に設けられていても良い。その形状は円形形状であっても良いし、矩形形状等別の形状であっても良く、その形状は紐等が通せる形状であれば良い。
【００９１】
また、第１の実施形態〜第４の実施形態では、カードを情報処理装置に接続しているが、他の電子機器に接続しても良い。また、本発明のカードは身分証以外にも使用することができる。例えば、可搬型の記憶媒体として使用することができる。この場合、カードを情報処理装置に接続することで、メモリに記憶している情報の読み出しや、このメモリに対する情報の書き込みを情報処理装置により行うことができる。
【図面の簡単な説明】
【００９２】
【図１】第１の実施形態に係るカード型記憶媒体の外観斜視図である。
【図２】第１の実施形態に係るフレームケースの分解図、正面図、及び正面図である。
【図３】第１の実施形態に係るコネクタ部の外観斜視図及び分解上面図である
【図４】第１の実施形態に係るカード型記憶媒体を情報処理装置に接続した状態を示す図である。
【図５】第１の実施形態に係るカード型記憶媒体を情報処理装置に接続した状態を示す図である。
【図６】第２の実施形態に係るカード型記憶媒体の外観斜視図である。
【図７】第２の実施形態に係るトップケースの分解上面図及び側面図である。
【図８】第３の実施形態に係るカード型記憶媒体の外観斜視図である。
【図９】第３の実施形態に係るフレームケースの分解図、正面図、及び側面図である。
【図１０】第４の実施形態に係るカード型記憶媒体の外観斜視図である。
【図１１】第４の実施形態に係るカード型記憶媒体の分解図、上面図、部分断面図である。
【符号の説明】
【００９３】
１，１１，２１，３１−カード型記憶媒体
２，１２，２２，３２−フレームケース
２ａ，２２ａ，３２ａ−上フレーム
２ｂ，２２ｂ，３２ｂ−下フレーム
３，１３，２３，３３−コネクタ部
３ａ，１３ａ，２３ａ，３３ａ−端子部
３ｂ，１３ｂ，２３ｂ，３３ｂ−メモリ
３ｃ−上板
３ｄ−下板
４，１４，２４，２５，３４−収納空間
４ａ，４ｂ，２５ａ，２５ｂ，３４ａ，３４ｂ−収納部
５−切欠部
５ａ，５ｂ−切欠き
６ａ〜６ｃ，７ａ，７ｂ，２６ａ，２６ｂ−開口部
６，１６，２６−軸受け部
７−ストラップホール
８ａ〜８ｃ−情報処理装置
９ａ〜９ｃ−接続ポート
１０，２０−トップケース
１５−突起部
２７−軸
３０−スライド部材
３０ａ−スライド軸
３０ｂ−軸受台
３６−スライド窓
【図１】
2009187164.tif 000003
【図２】
2009187164.tif 000004
【図３】
2009187164.tif 000005
【図４】
2009187164.tif 000006
【図５】
2009187164.tif 000007
【図６】
2009187164.tif 000008
【図７】
2009187164.tif 000009
【図８】
2009187164.tif 000010
【図９】
2009187164.tif 000011
【図１０】
2009187164.tif 000012
【図１１】
2009187164.tif 000013